Podtech/llm-jp-corpus-v4-ja_patent huggingface dataset:
(57)【要約】      （修正有）【課題】昔は焼き芋は庭掃除した後のたき火や、柴，薪を燃やした竈、風呂焚きの熾火を利用したお遊びの延長線上の物であった。従ってその出来、不出来もいつものことで，石焼き芋、壺焼き芋の出現でようやく職業としての認知が出来て，焼き芋のほくほく感は出来たが甘さの面で不十分であり，出来上がりにばらつきがあった。かかる弱点をカバーしたのが、この蒸し焼きいも製造装置である。【解決手段】１：生芋の内部から加熱するように出来るだけ多くの遠赤外線を利用する。２：同じ熱源で出来るだけ沢山の遠赤外線を放射せしめる。この為に熾火を利用し、鋳鉄製のダッチオーブン使用、その中に二酸化珪素高含有の玉砂利を敷き詰める。３：焼き芋をほくほく感でなく、ねっとり甘く仕上げるために焼き芋としてはやや低温の１１０度Ｃ−１４０度Ｃにダッチオーブン内を保つ様にする。４：熱源としては薪類を燃やした後の熾火を利用する。【選択図】図１
2013202404.tif 000002
【特許請求の範囲】
【請求項１】
薪を燃やす竈の空気の補給と燃焼ガスの排出を制御して熾火の発熱量と熾火の持続性をコントロールする芋類の蒸し焼き用竈。
【請求項２】
鋳鉄製のダッチオーブンを、請求項１記載の鉄製の竈にかけて、ダッチオーブンの底面及び側面の殆どに竈内の熾火からの熱線が当たるようにした芋類の蒸し焼き用竈。
【請求項３】
請求項２のダッチオーブンの底部に大豆粒程度の玉砂利（成分は二酸化珪素、ＳｉＯ２が７５％以上）を敷き詰め遠赤外線の放射能力を高めた蒸し焼き芋用ダッチオーブン。
【請求項４】
生芋を請求項３のダッチオーブンに入れて釜にかける時に生芋の重量比１−３％の水を添加して蒸気を発生せしめ、釜内温度を１１０度Ｃ−１４０度Ｃに保持することを特徴とする  蒸し焼き芋の製造法。
【発明の詳細な説明】
【技術分野】
【０００１】遠赤外線利用の蒸し焼き芋に関する技術分野であり、焼成過程の水分添加で発生する水蒸気により高温焼成を避けながら、焼成としては低温即ち１１０度Ｃ−１４０度Ｃでの糖化熟成を計るものである。
【背景技術】
【０００２】遠赤外線を利用した焼き芋は一般に石焼き芋又は壺焼き芋として認知されてきましたが、ややもすると１４０度Ｃ以上の高温焼成になり、適正なる糖化熟成を遺脱する傾向にあった。
【発明の開示】
【発明が解決使用とする課題】
【０００３】焼芋を限りなく甘く、美味しく作ると言う課題を達成した。糖度は甘いお菓子並、即ち糖度２０度−２４度まで達成することが出来た。現在、行はれている石焼き芋では糖度１０度−１３度止まりである。
【課題を解決する為の手段】
【０００４】遠赤外線を出来るだけ沢山照射して且つ芋の温度上昇による表面の焦げ付きや乾燥防止、糖化酵素の失活防止の為に水分添加を行う。この水分添加を２５分−３０分毎に行い釜内温度を１１０度Ｃ−１４０度Ｃに保持することにした。
【発明の効果】
【０００５】この方法で出来た蒸し焼き芋の糖度をお菓子並又はそれ以上の糖度の確保に成功し、石焼き芋、つぼ焼き芋の概念を打ち破る事に成功した。この甘い焼き芋を蒸し焼きいもと命名してその美味しさをアッピールすることが出来た。
【発明を実施する為の最良の形態】
【０００６】甘くて美味しい蒸し焼き芋を作るには芋の種類、芋の形状（丸形か細長い）、熾火の量とその時間的経過、添加する水分量とそのタイミング、焼き始めから完了までの熾火の量等の変動要因の組み合わせを多分に職人的感覚と澱粉糖化の科学的知識の組み合わせで達成される。換言すれば科学的知識に裏打ちされた経験と勘の組み合わせが重要になる。
【実施例】
【０００７】考案の実施の形態について図面を参照して説明する。図１の如く、直径７００ｍ／ｍ、長さ１，８００ｍ／ｍの鉄管を横に設置して、上部にダッチオーブン（図２参照）３ヶ取り付けの開口部をもうける。鉄管横置きの片面に薪投入口の扉を付け、これと横置き型鉄管の両側面に開閉可能な空気取り入れ用小窓を付けた。又横置き型鉄管の薪投入口の扉の反対側片面上部に煙道を付け、この煙道に排ガス量調整用、開閉可能な可動弁をとり付けた。これが蒸し焼き芋の竈である。【０００８】横置き竈の上部や薪投入口より薪類を投入して約３０分内外竈の空だきをして熾火を作る。【０００９】図２のダッチオーブン（直径３００ｍ／ｍ  ，深さ２３０ｍ／ｍ）に生芋約３ｋｇを入れて水約６０ｍｌを添加して殆ど熾火になった竈にかけた。約３０分後に芋の天地返しをして水約８０ｍｌを添加して約３５分間焼成したら蒸し焼き芋が出来あがる。
【産業上の利用可能性】
【００１０】大変美味しい蒸し焼き芋が出来るので産業としての事業が成立する。店舗を構えての蒸し焼き芋屋さん、人出の多いショッピングセンター等への出店（消防法をパスした上で）、出来上がりの蒸し焼き芋を真空パックして又は冷凍して出荷が考えられる。尚蒸し焼き芋はサツマイモだけに限すジャガイモ、里芋、人参やトウモロコシにまで応用できる多目的利用が可能である。
【図面の簡単な説明】
【００１１】
【図１】蒸し焼き用竈の側面図
【図２】ダッチオーブン側面図
【符号の説明】
【００１２】［図１］の蒸し焼き用竈の側面図
１：蒸し焼き用竈（直径７００ｍ／ｍ鉄管、横置き）
２：薪等投入口、開閉扉
３：上記２の開閉扉に付けた空気採り入れ小窓
４：煙突
５：煙突に付けられた可動弁
６：設置されたダッチオーブン
７：空気取り入れ口
８：薪燃焼後の熾火
［図２］のダッチオーブン側面図
９：ダッチオーブン（キャンプ用市販品）
１０：小粒の玉砂利
１１：金網
１２：芋等
１３：ふた
【図１】
2013202404.tif 000003
【図２】
2013202404.tif 000004
(57)【要約】      （修正有）【課題】事務所以外でも仕事や記録送信ができる手提げカバンの提供。【解決手段】アルミ金属製カバンの上蓋内にパソコン．ワープロ等をコの字形レールを左右に設け、挟んでスライドさせ、幅調整し固定する。尚パソコン等が損傷しないよう、中蓋で押え固定する。【選択図】図１
2013202403.tif 000002
【特許請求の範囲】
【請求項１】
当脱着式パソコン．ワープロ付手提げカバンは現在市販されているアルミ金属製カバンの上蓋内にパソコン．ワープロ等（以後パソコン等と言う）、をコの字形レールを左右に設け、挟んでスライドさせ、幅調整し固定する。尚パソコン等が損傷しないよう、中蓋で押え固定する。
【請求項２】
パソコン等が不要な時は、上蓋を開き固定金具を外し、上蓋内のスライドレールを緩め手前に引き寄せ抜き取る、因って一般カバンとして利用できる。又必要な時はすぐ取付できる。
【請求項３】
カバンの上蓋部分のパソコン等、とカバン本体（書類入れ）とを区分するため、中蓋（アルミ板）を取付パソコン等を保護する。
【請求項４】
カバンの外側にパソコン等の電源に充電用ソケット２ケ所設け、いつでも外部より充電できる。尚上蓋の中央に内部照明用の豆電球を設ける。
【請求項５】
カバンのサイズは、タテ＝３０ｃｍ、ヨコ＝４５ｃｍ、オクユキ＝８ｃｍを最大サイズとする、尚事務用紙でＡ４〜Ｂ４迄の用紙が収納できる、サイスのカバンとする。
【請求項６】
カバンの盗難予防用のベルが鳴るように器具を設ける。
【発明の詳細な説明】
【技術分野】
【０００１】当、手提げカバンは、アルミ金属製で何時どこでもパソコンやワープロ等を携帯し、情報、記録、作文等を送信可能です。
【背景技術】
【０００２】今までは、書類カバンとパソコン等を別々に持参していたが、当カバンを利用することで、出張先又は途中等で会社の指示や連絡を受け、変更修正したり正確な情報を記録保存できるので、すべての時間を短縮できる。
【発明の開示】
【０００３】当カバンは、パソコン等を携帯するので、盗難予防用ベルが鳴る器具を設ける。又出張先でも電源があればどこでも充電用ソケットにコンセットを差込充電できる。
【発明により解決する手段】
【０００４】パソコン等を当カバンの上蓋内の収納箇所にスライド固定できる、又不要な時は、取り除いて一般カバンとして利用できる。
【発明の効果】
【０００５】出張先の会議情報を会社と交信し、速やかに訂正や確認事項を記録できる。又カバン内の書類やパソコン等の盗難予防が出来る。
現況の出張先では、問題があった時会社と打合し、指示を受けていますが、当カバンのパソコン等の利用で速やかに解決します。
【図面の簡単な説明】
【０００６】第１図、第２図、第３図、
【図１】〔第１図〕全体図、縦正面側面図、縦横面側面図、上面平面図、
【図２】〔第２図〕上蓋内構造図、上蓋開き図、横面断面図、上蓋構造図、
【図３】〔第３図〕カバン内部図、上蓋図、中蓋図、
【符号の説明】
【０００７】▲１▼  カバン側面全体図
▲２▼  カバン横側面図
▲３▼  カバン上面図
▲４▼  カバン上蓋開き図
▲５▼  パソコン等押え用中蓋
▲６▼  中蓋と本体との取付丁番
▲７▼  手提げ用握り取手
▲８▼  本体と上蓋とのロック用カギ取付け
▲９▼  カバンの上蓋
▲１０▼  充電用ソケット
▲１１▼  カバン安定用突起
▲１２▼  本体と上蓋との固定丁番
▲１３▼  パソコン、ワープロ等の固定用スライド式幅調整器具
▲１４▼  中蓋の外側にスポンジを貼る
▲１５▼  中蓋の内側に布を貼る
▲１６▼  中蓋と本体との固定用の丁番を取付る
▲１７▼  手前に引く、パソコン等を取り出し用バンド
▲１８▼  パソコン等を挟む固定ケース
▲１９▼  左右スライド用幅調整つまみ
▲２０▼  本体のロック用鍵フック
▲２１▼  一般書類収納スペース
▲２２▼、▲２３▼、▲２４▼、▲２５▼、▲２６▼、カバン内部の収納スペース区分
▲２７▼  中蓋と本体カバンとの取付丁番
▲２８▼  上蓋の開き角度調整紐
【図１】
2013202403.tif 000003
【図２】
2013202403.tif 000004
【図３】
2013202403.tif 000005
(57)【要約】【課題】シャワーコート法によって、塗膜を形成する場合において、三次元的に凹凸の多い形状のものに対しても、ほぼ均一の膜厚で塗装できる方法が求められていた。【解決手段】塗料を流出部から流出させ、流出する塗料の中を三次元的に凹凸のある形状を有するワークをくぐらせることによって前記ワーク表面を塗装する際に、前記ワーク表面の一部を加熱又は冷却するシャワーコート法によって、上記課題は解決される。この方法により、塗料が重力に従って移動する前に塗膜が形成され、塗膜を均一な膜厚とすることができる。【選択図】図１
2013202545.tif 000002
【特許請求の範囲】
【請求項１】
塗料を流出部から流出させ、流出する塗料の中を三次元的に凹凸のある形状を有するワークをくぐらせることによって前記ワーク表面を塗装する際に、前記ワーク表面の一部を加熱又は冷却するシャワーコート法。
【発明の詳細な説明】
【技術分野】
【０００１】
本発明は、塗装方法に関する。より詳しくは、３次元的に複雑な形状のワークにシャワーコート法によって塗装する際に、塗膜が均一になるようにする塗装方法の改良に関する。
【背景技術】
【０００２】
塗料を穴の開いたヘッドやパイプを通して流出させ、その流出塗料の中をワークをくぐらせることによって塗布する方法をシャワーコート法と呼ぶ。この方法は、金属部品等に対して短時間で塗装が完了させることができ、広く一般的に利用されている。例えば、特許文献１には、シャワーコート法について記載されている。
【先行技術文献】
【特許文献】
【０００３】
【特許文献１】特開平１１−０４７６５３
【発明の概要】
【発明が解決しようとする課題】
【０００４】
シャワーコート法は、主として平板やフィルムなど、凹凸構造の少ない平面的なものの表面に適用されるのが一般的である。三次元的に凹凸の多い、立体的な形状のものをシャワーコート法で塗装すると、塗膜の膜厚がワークの場所によって違う。即ち、均一の塗膜が形成できない。これは、塗料がワークに付着した箇所が水平でない場合、塗料が重力に引かれてより下のほうへ流れてしまうからである。そこで、三次元的に凹凸の多い形状のものに対しても、ほぼ均一の膜厚で塗装できる方法が求められていた。
【課題を解決するための手段】
【０００５】
シャワーコート法における塗膜の膜厚は、ワークをくぐらせる速度や塗料の粘度、不揮発成分の含有割合などのほか、ワーク又は塗料の温度によって変化する。本発明は、この点に着目して考案されたものである。即ち、本発明は、塗料を流出部から流出させ、流出する塗料の中を三次元的に凹凸のある形状を有するワークをくぐらせることによって前記ワーク表面を塗装する際に、前記ワーク表面の一部を加熱又は冷却するシャワーコート法である。
【発明の効果】
【０００６】
本発明により、塗膜の膜厚をより均一になるように制御でき、塗膜の品質が上がる効果がある。
【図面の簡単な説明】
【０００７】
【図１】本発明の第一の実施形態を説明するための概要図である。
【図２】本発明の第二の実施形態を説明するための概要図である。
【発明を実施するための形態】
【０００８】
図を参照して、本発明を説明する。図１は、本発明の第一の実施形態の説明図である。図１において、塗料流出口１からは塗料２が下方向へ流出している。一方、ワーク３は、塗料流出口１の下を、左方向へ移動する。この結果、塗料２が、ワーク３の表面に付着し、塗膜が形成される。ワーク３は、凹凸構造を有するため、通常であれば凸部の斜面を塗料が下って、より下方に塗料が溜まった状態で塗膜が形成される。
【０００９】
これに対し、本発明においては、凸部の下方向から温風ノズル４から温風を吹きつけ、温風を通じてワーク３の凸部表面を局所的に加熱している。この結果、ワーク３の凸部に素早く塗膜が形成される。即ち、凸部斜面を塗料が下る前に塗膜形成過程へ移行するため、凸部頂上付近とその脇の塗料が溜まりやすい部分との間での塗膜の膜厚の差がつき難く、膜厚がより均一になる。
【００１０】
図２は、本発明の第２の実施形態の説明図である。第一の実施形態との相違点は、温風ノズル４に代えて、温度調節治具５を使用している点である。温度調節治具５は、温度を適切に調節したシリコンゴム、エラストマー、シリコンラバーヒーター等様々なものを用いることができる。また、実施形態１と比較し、ワーク３の表面凹凸構造に合致した温度調節治具５を作製するには手間と費用がかかるものの、狙いとする箇所のみを選択的に加熱できる利点がある。
【００１１】
なお、上記第１及び第２の実施形態は、ワークの表面の一部を局所的に加熱することを念頭において説明しているが、逆に一部を通常の温度とし、他の部分を冷却しても良い。
【符号の説明】
【００１２】
１          塗料流出口
２          塗料
３          ワーク
４          温風ノズル
５          温度調節治具
【図１】
2013202545.tif 000003
【図２】
2013202545.tif 000004
(57)【要約】【課題】本発明は、工場排水中の懸濁物を気泡による浮上分離法を用いて除去しつつも、臭気総量の増加を抑止する。【解決手段】この工場排水用懸濁物除去装置は、懸濁物を含む工場排水の一次側排水管（１）および工場内で発生する臭気の一次側排気管（２）が接続された気泡発生器（５）と、気泡発生器（５）の吐出側が自身の下部に接続された浮上分離槽（６）と、浮上分離槽（６）の下部に接続された二次側排水管（３）とを備え、気泡発生器（５）は、前記臭気を気泡源として生成した気泡を前記工場排水とともに浮上分離槽（６）内に供給する。【選択図】図１
2013202517.tif 000002
【特許請求の範囲】
【請求項１】
工場内で発生する臭気を気泡源として気泡を生成し、該気泡を用いて工場内で発生する排水から懸濁物を浮上分離させることを特徴とする工場排水中の懸濁物除去方法。
【請求項２】
工場排水中の懸濁物を除去する装置であって、懸濁物を含む工場排水の一次側排水管および工場内で発生する臭気の一次側排気管が接続された気泡発生器と、該気泡発生器の吐出側が自身の下部に接続された浮上分離槽と、該浮上分離槽の下部に接続された二次側排水管とを備え、
前記気泡発生器は、前記臭気を気泡源として生成した気泡を前記工場排水とともに前記浮上分離槽内に供給することを特徴とする工場排水用懸濁物除去装置。
【発明の詳細な説明】
【技術分野】
【０００１】
本発明は、気泡による浮上分離法を用いて、工場排水中の懸濁物を除去する方法および工場排水用懸濁物除去装置に関する。
【背景技術】
【０００２】
工場内で発生する排水中には、油や固形分が懸濁状態で含まれており、これが様々な設備や配管等におけるトラブルの原因となる。そこで、排水中に連続的に微細な気泡を導入することにより、排水中の懸濁物を浮上分離することが行なわれている。
微細な気泡を利用して液中の懸濁物を浮上分離する技術に関しては、これまで多くの提案がなされている。例えば特許文献１では、浄水処理原水、工場排水、下水、河川水、湖沼水中の懸濁物を気泡により高速分離する技術について記載されている。また、特許文献２では、サイズの異なる気泡を組み合わせることで、浮上分離速度を制御する技術が開示されている。このような気泡を用いた浮上分離技術では、気泡源として一般的に大気を吸引している。
【先行技術文献】
【特許文献】
【０００３】
【特許文献１】ＷＯ２００３／０４２１０８
【特許文献２】特開２０１０−４２３３８号公報
【発明の概要】
【発明が解決しようとする課題】
【０００４】
しかしながら、工場排水にあっては、浮上分離を行う工場排水の性状や工程によって、気泡源として吸引した大気が新たな臭気となって発生してしまい、臭気総量が増加するという問題がある。ここで、本発明でいう「臭気」とは、例えばタール臭やベンゼン臭をもつ気体であって、工場内で発生し、洗浄や燃焼といった処理を行わずには排出できない気体をいう。
【０００５】
そこで、本発明は、工場排水中の懸濁物を気泡による浮上分離法を用いて除去しつつも、臭気総量の増加を抑止し得る工場排水中の懸濁物除去方法および懸濁物除去装置を提供することを課題とする。
【課題を解決するための手段】
【０００６】
上記課題を解決するために、本発明の一態様に係る工場排水中の懸濁物除去方法は、工場内で発生する臭気を気泡源として気泡を生成し、該気泡を用いて工場内で発生する排水から懸濁物を浮上分離させることを特徴とする。
また、本発明の一態様に係る工場排水用懸濁物除去装置は、懸濁物を含む工場排水の一次側排水管および工場内で発生する臭気の一次側排気管が接続された気泡発生器と、該気泡発生器の吐出側が自身の下部に接続された浮上分離槽と、該浮上分離槽の下部に接続された二次側排水管とを備え、前記気泡発生器は、前記臭気を気泡源として生成した気泡を前記工場排水とともに前記浮上分離槽内に供給することを特徴とする。
【発明の効果】
【０００７】
本発明によれば、工場内で発生する臭気を気泡源として気泡を生成し、その生成した気泡により工場排水中の懸濁物を吸着し、懸濁物が浮力を得て浮上することにより、懸濁物が取り除かれた排水を得ることができる。そして、本発明によれば、浮上分離に用いる気泡源として工場内で発生する臭気を用いているので、臭気総量を増加させることなく懸濁液中の懸濁物を除去することができる。また、同時に臭気を水洗する効果も得ることができる。なお、浮上分離後の排気ガス（臭気あり）は、燃焼、吸着などの通常の方法で処理する。
【図面の簡単な説明】
【０００８】
【図１】本発明の一態様に係る工場排水中の懸濁物除去方法を実施する、本発明の一態様に係る工場排水用懸濁物除去装置の一実施形態の模式図である。
【発明を実施するための形態】
【０００９】
図１に示すように、この工場排水用懸濁物除去装置は、気泡発生器５、および密閉容器である浮上分離槽６を備えている。気泡発生器５には、懸濁物を含む工場排水の一次側排水管１および工場内で発生する臭気の一次側排気管２がそれぞれ接続され、気泡発生器５の吐出側は、浮上分離槽６の下部に接続されている。また、浮上分離槽６には、その下部に二次側排水管３が接続されるとともに、上部には二次側排気管４が浮上分離槽６の上部空間に連通するように接続されている。なお、二次側排気管４は、上記一次側排気管２の下流側に接続されて合流している。
【００１０】
この工場排水用懸濁物除去装置は、一次側排水管１から懸濁物を含む排水が連続的に気泡発生器５に導入される。また、工場内で発生する臭気も一次側排気管２から連続的に気泡発生器５に導入される。そして、気泡発生器５は、一次側排気管２から導入される臭気を気泡源として生成した微細な気泡Ｇを、一次側排水管１から導入される工場排水とともに浮上分離槽６中に連続して供給するようになっている。
【００１１】
これにより、浮上分離槽６内では、臭気由来の微細な気泡Ｇが一次側排水管１から導入された排水中の懸濁物に吸着し、懸濁物が浮力を得て浮上することにより、分離槽底部に接続された二次側排水管３から懸濁物が取り除かれた排水を得ることができる。
また、浮上分離槽６の上部空間には気泡由来の臭気が連続的に発生するが、浮上分離に用いた微細な気泡Ｇから発生する臭気は、二次側排気管４を介して一次側排気管２に合流されて臭気処理工程に送られる。これにより、この工場排水用懸濁物除去装置による浮上分離工程全体として、新たな臭気の発生を防ぎつつ排水中の懸濁物を除去することができる。
【００１２】
ここで、大気由来の気泡を用いて浮上分離を行った場合と臭気由来の気泡を用いた場合とを排水中の懸濁物除去率で比較したところ、下記の表１に示すように、臭気由来の気泡を用いた場合の方が除去率は僅かに低いものの、浮上分離工程全体として新たな臭気の発生を防ぎつつ排水中の懸濁物を除去可能なことが確認された。
【００１３】
【表１】
2013202517.tif 000003
【００１４】
なお、本発明に係る工場排水中の懸濁物除去方法および工場排水用懸濁物除去装置は、上記実施形態に限定されるものではなく、本発明の趣旨を逸脱しなければ種々の変形が可能なことは勿論である。
【符号の説明】
【００１５】
１    一次側排水管
２    一次側排気管
３    二次側排水管
４    二次側排気管
５    気泡発生器
６    浮上分離槽
Ｇ    気泡
【図１】
2013202517.tif 000004
(57)【要約】      （修正有）【課題】花粉や感染ウィルス、大気汚染物質を化学的根拠に基づいた快適なマスクの提供。【解決手段】マスク本体１の表面部裏側にインド綿地３で包んだ円形フェライト磁石２を中心部に挟んでくぼみにあたるよう両面に縫い付け、前記マスク本体１の内側にインド綿にてマスクより少し小さめにした長方形袋５に粒竹炭４を入れ、均等化してキルティング処理を施した後に縫い付ける。更に口元のガーゼ地は二枚折したインド綿地７とする。【選択図】図１
2013202399.tif 000002
【特許請求の範囲】
【請求項１】
ガーゼマスクの内部に直接分子ふるい材として粒竹炭を配す事により、分子レベルで大気中に浮遊する各種汚染物質の吸着除去を可能にしたマスク。
【発明の詳細な説明】
【技術分野】
【０００１】  本発明は多層式ガーゼマスク中間部に粒状竹炭をムラ無く配して、キルティング処理を施し均等化してガーゼ中間部の左右にフェライト円形磁石を配した竹炭式マスクに関する。
【技術背景】
【０００２】  従来のマスクは大きさ形状有効成分を生地に練り込んだ物や多層式など多種多様あるが、分子レベルの汚染物質を吸着除去する素材そのものを含有させたものや、磁石を取り付けたものは無い。
【参考文献１】
特開２００８−１９４４３８
【発明の開示】
【発明が解決しようとする課題】
【０００３】  花粉や感染ウィルス、大気汚染物質はどうしても鼻や口から侵入してしまう。
冬、春先等、特に注意しなければいけないが、大半は繊毛素材生地などのマスクで防御しているが、しないよりは効果があるといえる。しかし分子レベルで考えると十分とはいえない。
【課題を解決するための手段】
【０００４】  分子レベルで強制的に吸着除去する素材はゼオライトやベントナイトや活性炭等があり、それらをマスクの中に直接配置できないか、又、分子レベルで汚染物質を吸着する素材として最近話題になっているゼオライトは分子レベルで汚染物質を吸着除去する小さい孔が沢山ある多孔質素材であり、分子ふるい（モレキュラーシーブ）の代表的なものである。ベントナイト、活性炭等も同様であるが、冬場の吐く息（水蒸気）にも反応せず、又、脱臭性等を考慮したとき一番の素材は竹炭であり比表面積は１ｇあたり７００ｍ２ともいわれる。粉状だとむせたりするので粒状、顆粒状がよい。したがって粒状竹炭を鼻、口、口元周辺にガーゼ内に配置するのが一番である。【０００５】  又、鼻からの汚染物質に対し防御効果がある鼻粘膜の活性化には周辺の血行を促進させるため鼻の外側に小さな磁石を１個ずつ取り付けることであり、その結果、鼻のくぼみに起きやすいマスクの隙間も解消することになる。したがってマスク内に十分内包させるには昔からある多層式のガーゼマスクが最適である。
【効果】
【０００６】  こうした構造面から口、鼻からの体内への侵入を図る感染ウィルス、大気汚染物、花粉等に対する防御効果が十二分に発揮され、一枚生地等での感染予防などに比べ本質的に吸着除去に差が出る効果を有する。
【発明を実施する為の最良の形態】
【０００７】  市販のガーゼマスクの構造は、マスクの表面、中間部、接顔面と二層式なっており、さらに各層に一枚地ガーゼが付いている、又、口元用に多層式ガーゼ地の組み合わせになっている。これは一枚地マスクの素材の繊毛度合いが高く、ガーゼ地は目が粗いため多層構造になっているのだが、マスクに工作を施すには適している。まず表面部裏側にインド綿地で包んだ円形フェライト磁石を中心部に挟んでくぼみに当たるよう両面に縫い付けた。又、内側にインド綿にてマスクより少し小さめにした長方袋に粒竹炭約１０ｇを入れ均等化してキルティング処理を施した後縫い付けた。又、口元のガーゼ地は二枚折にしたインド綿地に差し替えた。インド綿にしたのは目の粗いガーゼ地より目が細かく繊毛性が高く、粒竹炭では吸着しきれない花粉等大き目の粒子の体内侵入を防ぐ効果を高めるためである。
【０００８】  したがって、粒竹炭による大気中の汚染物質の吸着除去効果、マグネットによる隙間塞ぎ、鼻粘膜活性化、多層式ガーゼ地、繊毛性の高いインド綿各材の使用により、市販のマスクではなしえない大気汚染、感染防止、花粉症対策になりうる。高い効果を有するマスクを提供できる。
【図面の簡単な説明】
【０００９】
【図１】  下部から見たマスクの断面図
【図２】  粒竹炭が内包しているインド綿の概略図
【符号の説明】
【００１０】１  マスク本体  ２  フェライト磁石  ３  磁石用インド綿  ４  粒竹炭
５  竹炭用インド綿  ６  キルティング糸  ７  口当て用インド綿
８  耳当てゴムひも
【図１】
2013202399.tif 000003
【図２】
2013202399.tif 000004
(57)【要約】【課題】個別に裁断した錠剤の台紙はくすり保管容器の枡の内壁に当たって取り出しにくいので、枡の内壁を改良し台紙つき錠剤を取り出しやすくしたくすり保管容器を提供する。【解決手段】可塑性材質によって波形仕切り（３）の斜面および板状仕切り（８）よりなる所要の枡（２）を設けたくすり保管容器（１）の両面にくすり保管容器（１）に適合する透明な蓋（４）をヒンジ（５）によって取り付け、蓋（４）を開閉するための開閉つまみ（６）を蓋（４）に設け、くすり保管容器（１）には開閉つまみ（６）の操作に必要な補助つまみ（７）を設け、台紙ごと裁断した錠剤を取り出しやすくしたことを特徴とする両面くすり保管容器。【選択図】図１
2013202396.tif 000002
【特許請求の範囲】
【請求項１】
可塑性材質からなるくすり保管容器（１）に所要の枡（２）を整列して設け、枡（２）内の一対の相対する面は斜面とし、当該くすり容器（１）の裏面は前述と同様の枡（２）の形状をなし、表裏の枡（２）は一定の厚みを持つ波状の仕切り（３）によって形成される。
またくすり保管容器（１）の外形に適合する透明の蓋（４）を両面に設け、各々の蓋（４）の一辺には開閉自在のヒンジ（５）を設け、相対する一辺には蓋（４）をくすり保管容器（１）に係止するための開閉つまみ（６）を設け、くすり保管容器（１）には開閉つまみ（６）を操作するに必要な補助つまみ（７）を設けたことを特徴とする、両面くすり保管容器。
【発明の詳細な説明】
【技術分野】
【０００１】  この発明は、くすり保管容器（１）に設けた所要の枡（２）内の相対する一対の面を斜面とし、当該くすり容器（１）の裏面は前述と同様の枡（２）の形状をなし、表裏の枡（２）は一定の厚みを持つ波状の仕切り（３）によって形成され、また、くすり保管容器（１）の外形に適合する透明の蓋（４）を両面に設ける。
各々の蓋（４）の片側には開閉自在のヒンジ（５）を設け、他端には蓋（４）をくすり保管容器（１）に係止するための開閉つまみ（６）を設け、くすり保管容器（１）には開閉つまみ（６）を操作するに必要な補助つまみ（７）を設けたことを特徴とする、両面くすり保管容器に関するものである。
【背景技術】
【０００２】  従来、医師から出された処方薬は服用時刻を指示され、その種類が多くなると間違い、混乱を起こしやすい。
これを防止し、多種の薬を朝、昼、夕、就寝前などに正しく分別し、服用を忘れることのないように保管、使用するための各種の保管容器が市販されている。
【先行技術文献】
【０００３】
【発明の概要】
【発明が解決しようとする課題】
【０００４】  薬を自己（あるいは介護）管理するにあたって、薬局から受け取った薬は散薬は別として錠剤は１０錠あるいは１４錠が１枚の台紙にパッケージされていて、これを鋏で個別に切り分けくすり保管容器の所定の枡に分別して収納することになる。
従来のくすり保管容器の枡の内壁と底部の接する４辺は薬が取り出しやすいようにと曲面にしてあるが、薬を裸形で保管することはあり得ず、パッケージの台紙を切った状態のまま所定の枡に収納していた。
個別に裁断したパッケージの台紙の４辺は直線であり、枡の内壁に当たって折角設けてある曲面が用をなさず、薬を取り出しにくい場合が多かった。
本発明は、この問題点を解決するためになされたものである。
【課題を解決するための手段】
【０００５】  上記欠点を解決するため、ここに特許請求の範囲を記載する本発明は可塑性材質からなるくすり保管容器（１）に所要の枡（２）を整列して設け、枡（２）内の相対する面は斜面とし、当該くすり容器（１）の裏面は前述と同様の枡（２）の形状をなし、表裏の枡（２）は一定の厚みを持つ波状の仕切り（３）によって形成される。
またくすり保管容器（１）の外形に適合する透明の蓋（４）を両面に設け、各々の蓋（４）の片側には開閉自在のヒンジ（５）を設け、他端には蓋（４）をくすり保管容器（１）に係止するための開閉つまみ（６）を設け、くすり保管容器（１）には開閉つまみ（６）を操作するに必要な補助つまみ（７）を設けたことを特徴とする、両面くすり保管容器。
【発明の効果】
【０００６】  本発明の両面くすり保管容器（１）に整列して設けた枡（２）内の相対する一対の斜面は収納してある台紙付きの錠剤を容易に取り出しやすくし、且つ上面に４日分、裏面に３日分の錠剤を保管ができることによって全形的に小型にすることが可能になる。
【図面の簡単な説明】
【０００７】
【図１】  本発明の斜視図
【図２】  本発明の断面図
【符号の説明】
【０００８】１  くすり保管容器
２  枡
３  波状仕切り
４  蓋
５  ヒンジ
６  開閉つまみ
７  補助つまみ
８  板状仕切り
【図１】
2013202396.tif 000003
【図２】
2013202396.tif 000004
(57)【要約】【課題】  顔の内側からマッサージ器を使用してほうれい線を消していく事が可能となる。【解決手段】加齢とともに顔の筋肉がゆるみ老化とともにほうれい線が目立つ、この発明品はほうれい線やマリオネット線などを科学の力ではなく自然の治癒力を利用した画期的なマッサージ器です。口の中からアイロンを当てるように根気強く使用することによりほうれい線・マリオネット線が薄くなり若返りの要素となる。【選択図】図１
2013202395.tif 000002
【特許請求の範囲】
【請求項１】
本開発のほうれい線マッサージ器はこの先端部分に特徴があり顔の内側に先端部分を入れ皮膚に押しあてながらマッサージをして行く、この先端部分はシリコン材・アクリル材・または強化ガラスやステンレス・セラミックなどをもちいる。
【請求項２】
ほうれい線マッサージ器は片手で握り持ち先端部分を口の中から、顔の表面に出来たほうれい線またはマリオネット線がある場所に裏側から先端部分を押し当てる。先端部分は本体と分離する。
先端部分を取り外した下に乾電池を入れる部分があり、底の部分にあるスイッチをＯＮにして使用。
【請求項３】
前記マッサージ器の先端部分の特徴とする項目を記したが、このマッサージ器を動かす電動力は乾電池を使用し電源をＯＮ／ＯＦＦ設定にしＯＮ状態でバイブレーションになる、またはＯＮ状態で先端部分がワイパーの様に回転または反転あるいは３／４回転をする。
【発明の詳細な説明】
【技術分野】
【０００１】本発明は、口の中からほうれい線の裏にマッサージ機を当て顔のほうれい線をなくして行く装置。
すなわち口の中からマッサージをする事によってほうれい線がまるで裏側からアイロンを当てているかの様に少しずつ消えていく。
【背景技術】
【０００２】近年、ほうれい線を隠すために整形手術や多種多様な顔の表面でのマッサージ器やクリームなどの機器商品が販売され、加齢とともに出来るほうれい線を如何に消したいかが問題になっている。
これらの機器やマッサージクリームはすべてにおいて顔の表面だけの手入れである。
顔の表面のマッサージも必要ではあるが顔の内側からのケアーは簡単で至ってシンプルであり使用勝手も良く、年寄りの方々には明朗は事です。【０００３】マッサジ器としてはシンプルであり、先端部分はシリコンまたはアクリ材を使用する事により口の中ほうれい線の裏側に直接当てバイブレーションを掛けても皮膚に異常をきたさない素材を使用する。
【発明の概要】
【発明が解決しようとする課題】ほうれい線の裏側にマッサージ器の先端部分を当てる。
表面の皮膚で行っているマッサージと併用することによって、加齢とともに出来るほうれい線（しわ）をお金を掛けずに消していく事が出来る。
【課題を解決するための手段】
【０００４】このほうれい線マッサージ器は電動式ＯＮ／ＯＦＦ切替えによりバイブレーションが入る。マッサージ器に乾電池（単三）を使用します。マッサージ器は電動式ＯＮ／ＯＦＦ切替えによりバイブレーションが入る。【０００５】口の中に入れる先端部分は取り外し可能、使用後は洗浄をするように開発をする。
【発明の効果】
【０００６】本発明のほうれい線マッサージ器は、顔の内側からアイロンを掛けるようにマッサージを繰り返し刺激を与えることにより、老化とともに顔の表面に出来たほうれい線やマリオネット線を薄くしていく効果を得ることが出来る。
2013202395.tif 000003
楽に顔の裏側からのマッサージが行う事が可能になった。
【発明を実施するための形態】
【０００７】以下、本発明品の実施例を図面化し参照として説明をする。
【０００８】図１は、本発明品のマッサージ器の先端部分を口の中に入れた時の真正面を示し、１の部分はマッサージ器の先端部分はシリコン・アクリル樹脂などの材料を使用する。
また、先端部分に関しては堅い素材を用いてほうれい線やマリオネット線に強く刺激を与えるために使用する場合もある、その素材は強化ガラス・ステンレス・セラミック材などを使用する。
【産業上の利用可能性】本発明は、人類上加齢とともに生まれる老化現象により出来てしまうほうれい線・マリオネット線の悩みを一掃するほどの発明であり、世の女性の方々の救世主ともなる事が出来る。
【図面の簡単な説明】
【０００９】
【図１】本発明のマッサージ器。
【図２】本発明のマッサージ器の全体と電気部分
【符号の説明】
【００１０】１  マッサージ器の先端部分
２  マッサージ器の全体
３  マッサージ器の電気部分
【図１】
2013202395.tif 000004
【図２】
2013202395.tif 000005
(57)【要約】【課題】  従来のＰＴＦＥホットケーキ用焼き型は一体型（図１）であったため、単価が高い、取り出しにくい、焼く時間が長い、フワフワの食感が足りない、綺麗に焼くのがむずかしかった。【解決手段】  立ち上がった縁を円周上にもった底板と、立ち上がった縁の内周に接した円筒にて形成された（図２）のＰＴＦＥホットケーキ用焼き型。【選択図】図２
2013202393.tif 000002
【特許請求の範囲】
【請求項１】
ホットプレート上で加熱温度１５０℃から２００℃で使用し、立ち上がった縁を円周上にもったＰＴＦＥ（ポリテトラフルオロエチレン）で形成された底板と、該立ち上がった縁の内周に接したＰＴＦＥで形成された円筒とから構成することを特徴とするホットケーキ用焼き型。
【発明の詳細な説明】
【技術分野】
【０００１】  本発明はホットプレート上で加熱温度１５０℃から２００℃で焼く、ＰＴＦＥで形成されたホットケーキ用焼き型に関するものである。
【背景技術】
【０００２】  従来、ＰＴＦＥホットケーキ用焼き型は一体型があった。【０００３】  しかしながら一体型のホットケーキ用焼き型は、（１）単価が高い、（２）取り出しにくい、（３）フワフワの食感が足りない、（４）焼く時間が長い、（５）綺麗に焼くのがむずかしい、などの問題があった。
【発明の概要】
【発明が解決しようとする課題】
【０００４】  従来の一体型のＰＴＦＥホットケーキ用焼き型には、前記したようないくつかの解決すべき課題がある。
【課題を解決するための手段】
【０００５】  上記課題を解決するために、請求項１に記載の発明は、
ホットプレート上で加熱温度１５０℃から２００℃で使用し、立ち上がった縁を円周上にもったＰＴＦＥ（ポリテトラフルオロエチレン）で形成された底板と、該立ち上がった縁の内周に接したＰＴＦＥで形成された円筒とから構成することを特徴とするホットケーキ用焼き型である。
【発明の効果】
【０００６】  従来の一体型のものは、ＰＴＦＥがインジュクション（一体成型）できないので、ムク材を使い外周、内周ともに切削加工にて作る。ＰＴＦＥは材料が高価なので製品単価が高くなる。円筒（パイプ材）と底板（板材）を使うことにより製品単価を約半値にすることにできる。円筒と底板に分けることにより焼き上がったホットケーキが取り出しやすくなる。底板に円筒より先に熱が伝わることにより、熱膨張の差により底板の縁の内周と円筒に隙間ができ、その隙間より空気が入ることによりスポンジ状のフワフワ感が増し食感が良い焼き上がりとなる。しかも空気による熱効果が上がり焼き時間も一体型に比べ約３分の２に短縮される。更に一体型のときより綺麗に焼き上がる率が格段に上がった。
【図面の簡単な説明】
【０００７】
【図１】  従来の円柱状ＰＴＦＥから切削加工で形成した一体型のホットケーキ用焼き型を示す断面図と斜視図である。
【図２】  本発明のホットケーキ用焼き型の断面図と斜視図である。
【図３】  フタを設けた他の実施例を示す断面図である。
【発明を実地するための形態】
【０００８】  以下に本発明の構成を図１に示す従来の一体型ＰＴＦＥホットケーキ用焼き型の問題を解決した本発明を示す図２で説明する。
図２の円筒２はＰＴＦＥのパイプ材を旋盤で切削加工により作るが、まず、外径内径をバイトにより仕上げ、その後、突っ切りバイトにてカットする。棒材又は板材を切削加工して作る底板３は円筒の外径に縁４の内周が接するようにつくられている。
【０００９】  本発明のホットケーキ用焼き型をホットプレート上で加熱し、加熱温度は１５０℃から２００℃の範囲で、好ましくは１８０℃で焼くともっとも食感が良く、綺麗に焼きあがる。
【００１０】なお、底板３に子供の顔や動物などいろいろの図柄や文字を入れることにより焼き上がりを楽しむことができる。
更に他の実地例を図３に示す。底板３をフタとして使うことにより、両面（上下）を焼くことができる。両面焼きによりホットケーキの中にいろいろな具材５（アンコ、いちご）を入れても具材の芯まで熱が入りおいしく焼くことができる。
【符号の説明】
【００１１】１  ホットケーキを入れる容器
２  円筒
３  底板
４  縁
５  具材
【図１】
2013202393.tif 000003
【図２】
2013202393.tif 000004
【図３】
2013202393.tif 000005
(57)【要約】【課題】冷蔵庫に長葱などの長尺野菜を収納する場合、切断や、横置きにするため、野菜本来の自生している状態と環境が大幅に異なり、野菜にストレスが掛かり痛みやすかった。本発明は、長葱などの長尺野菜を自生に近い状態で冷蔵庫へ収納できる野菜収納ホルダーを提供する。【解決手段】吸盤の根元に横向きの紐通し穴を設け、紐通し穴に紐を通し、紐の両端に面ファスナーを設けたことを特徴とする野菜収納ホルダー。【選択図】図１
2013202394.tif 000002
【特許請求の範囲】
【請求項１】
吸盤の根元に横向きの紐通し穴を設け、紐通し穴に紐を通し、紐の両端に面ファスナーを設けた野菜収納ホルダー。
【発明の詳細な説明】
【技術分野】
【０００１】  本発明は冷蔵庫内で使用する野菜収納ホルダーに関するものである。
【背景技術】
【０００２】  従来、冷蔵庫内で長葱などの長尺野菜を収納する場合、切断や、横置きにしていた。
【先行技術文献】
【特許文献】
【０００３】
【特許文献１】特開２００６−２６６６２３
【発明の概要】
【発明が解決しようとする課題】
【０００４】  冷蔵庫に長葱などの長尺野菜を収納する場合、切断や、横置きにするため、野菜本来の自生している状態と環境が大幅に異なり、野菜にストレスが掛かり痛みやすかった。本発明は、以上の問題点を解決するものである。
【課題を解決するための手段】
【０００５】  吸盤の根元に横向きの紐通し穴を設け、紐通し穴に紐を通し、紐の両端に面ファスナーを設ける。
以上の構成によりなる野菜収納ホルダー。
【発明の効果】
【０００６】  長葱などの長尺野菜を縦置きの状態で冷蔵庫に収納できるので、野菜にストレスを掛けることなく保存できる。本発明は、冷蔵庫内とドア内側との隙間の壁面へ収納できるので、冷蔵庫内の空いているスペースを有効利用できる。
【図面の簡単な説明】
【０００７】
【図１】本発明の斜視図
【図２】本発明の使用状態を示す斜視図
【発明を実施するための形態】
【０００８】  以下、本発明の実施の形態を説明する。
（イ）吸盤（１）の根元に横向きに貫通させた紐押し穴（２）を設ける。
（ロ）帯状の紐（３）を吸盤（１）の根元に設けた紐押し穴（２）へ通す。
（ハ）帯状の紐（３）の両端に面ファスナー（４）を設ける。
本発明は以上のような構造である。
本発明を使用するときは、冷蔵庫の庫内とドアの隙間の壁面へ吸盤（１）を貼り付け、長尺野菜を帯状の紐（３）で束ね、帯状の紐（３）の両端に設けた面ファスナー（４）で、束ねた長尺野菜を固定する。
【符号の説明】
【０００９】  １  吸盤、２  紐押し穴、３  紐、４  面ファスナー
【図１】
2013202394.tif 000003
【図２】
2013202394.tif 000004
(57)【要約】【課題】  単純な構造を有し、かつ耐久性が高く美しい腕時計用ブレスレットを提供する。【解決手段】  腕時計用ブレスレットは、一連のチャネル状リンク１、鋼ピン４、鋼リベット３、及び鋼管２から形成される帯状部材を備える。鋼管２及び鋼リベット３は、リンク１内に組み付けられた鋼ピン４を固定する。このような構成により鋼ピン４の緩みが防止され、その結果リンク１の緩みが防止される。【選択図】        図３
2013202098.tif 000002
【特許請求の範囲】
【請求項１】
一連のチャネル状のセラミック製リンク、鋼ピン、鋼リベット、及び鋼管から形成される帯状部材を備える腕時計用ブレスレットであって、前記セラミック製リンクの下部に穴が形成され、前記鋼ピンは平坦な表面及び穴を有し、前記鋼リベットがキノコ状に形成され、前記鋼管の一端が閉じられている腕時計用ブレスレット。
【請求項２】
前記リンクが、同リンクの上面から形成される２つの縦穴と、同リンクの下部に形成される２つの横穴とを有する請求項１に記載の腕時計用ブレスレット。
【請求項３】
前記鋼ピンが前記リンクの横穴内に配置され、同鋼ピンの両方の端部に穴が形成されている請求項１に記載の腕時計用ブレスレット。
【請求項４】
前記鋼管が鋼リベットの上に配置される請求項１に記載の腕時計用ブレスレット。
【請求項５】
前記鋼管を押圧することにより、鋼管の開口した端部がキノコ状に変形して前記鋼ピンの緩みを防止するとともに同鋼ピンをリンク内にて固定する請求項１に記載の腕時計用ブレスレット。
【発明の詳細な説明】
【技術分野】
【０００１】
本発明は、腕時計のブレスレットに関し、より詳細には、セラミック製リンクを有するブレスレットとして構成されるブレスレット型腕時計に関する。
【背景技術】
【０００２】
近年、装飾品としての腕時計の役割は、時間の測定及び表示を行うという役割よりも重要になっている。セラミック製リンクを有する従来の腕時計用ブレスレットには、緩みや破損が生じやすいという構造上の欠陥があり、使用者が誤って腕時計を紛失又は落下させてしまう虞がある。このような従来構成の問題及び不都合は、リンク内に鋼ピンを固定することにより解消し得る。
【０００３】
本発明は、セラミックであるブレスレット素材の利点を有する好適な腕時計用ブレスレットを提供することを意図する。
【発明の概要】
【発明が解決しようとする課題】
【０００４】
本発明の目的は、従来技術の問題を解決すべく、単純な構造を有し、かつ耐久性が高く美しいブレスレットを提供することである。セラミック製リンクに組み付けられた鋼ピンの穴の中で鋼管を変形させることにより、鋼管が穴の中の空隙を埋め、これによりリンクに対して鋼ピンが固定される。このような構成によりピンの緩みが防止され、その結果リンクの緩みが防止される。
【課題を解決するための手段】
【０００５】
本発明に従い、帯状部材を備える腕時計用ブレスレットが提供される。帯状部材は、一連のチャネル状セラミック製リンク、鋼ピン、鋼リベット、及び鋼管から形成される。リンクの下部には穴が形成される。鋼ピンは平坦な表面及び穴を有する。鋼リベットはキノコ状に形成される。鋼管の一端は閉じられている。鋼管を押圧することにより、鋼管の開口した端部がキノコ状に変形して鋼ピンの緩みを防止するとともに鋼ピンをリンク内にて固定する。
【０００６】
添付の図面は、本発明による腕時計用ブレスレットのリンクの固定連結の一実施形態を例示的に示すものである。
【図面の簡単な説明】
【０００７】
【図１】本発明の一実施形態において用いられるブレスレットリンクの構造を示す断面図。
【図２】本発明の一実施形態において用いられるブレスレットリンク内において機能する鋼リベットを示す断面図。
【図３】本発明の一実施形態において用いられるブレスレットリンク内に固定された鋼リベットを示す断面図。
【発明を実施するための形態】
【０００８】
図１に示すように、本発明の一実施形態によるブレスレットは一連のセラミック製リンク１を備える。このセラミック製リンク１は、上面から形成される２つの縦穴と、下部に形成される２つの横穴とを有する。これらの横穴の中には、鋼ピン４の両方の端部が配置される。鋼ピン４は平坦な表面を有し、鋼ピン４の両方の端部には穴が形成されている。鋼ピン４の穴は、その上部がリンク１の縦穴とほぼ同一の径を有し、その下部が上部よりも若干大きな径を有する。キノコ状をなす鋼リベット３はリンク１の縦穴から同リンク１及び鋼ピン４に挿入される。鋼リベット３は、リンク１の縦穴及び鋼ピン４の穴内に配置されるが、鋼リベット３のキノコ状頭部（下端部）は鋼ピン４の穴の下部（比較的径の大きい箇所）に配置される。
【０００９】
図２に示すように、鋼管２がリンク１の縦穴及び鋼ピン４の穴に挿入されて鋼リベット３の上に配置される。鋼リベット３のキノコ状頭部を除く部分が鋼管２に挿入される。鋼管２の一端（上端）は閉じられている。
【００１０】
図３に示すように、鋼管２を押し下げることにより、鋼管２の開口した端部が鋼リベット３のキノコ状頭部に沿ってキノコ状に拡がるように変形する。この変形により鋼管２がセラミック製リンク１の穴の中の間隙及び鋼ピン４の穴（詳しくは、穴の下部）の中の隙間を埋め、リンク１に対する鋼ピン４の緩みを防止するとともに鋼ピン４をリンク１内に固定する。鋼管２の変形に伴い鋼ピン４に力が作用するが、セラミック製リンク１に対して力は作用しない。
【００１１】
上記の実施形態は例示的なものであり本明細書に記載する実施形態以外の様々な形態にて、特許請求の範囲に記載された本発明の範囲及び趣旨から逸脱することなく当業者により実施可能である。
【符号の説明】
【００１２】
１…セラミック製リンク、２…鋼管、３…鋼リベット、４…鋼ピン。
【図１】
2013202098.tif 000003
【図２】
2013202098.tif 000004
【図３】
2013202098.tif 000005
(57)【要約】【課題】食品循環資源の醸造による、クリーンエネルギーづくり。国のエネルギー供給の深刻な異常事態。液化天然ガスの緊急輸入と、一日２億円前後の燃料代。（原発１基分。）【解決手段】食品循環資源の積極的活用。【選択図】図３
2013202044.tif 000002
【特許請求の範囲】
【請求項１】
粗糖生産の副産物と酵母の発酵技術によるバイオエタノール醸造
【請求項２】
バイオエタノール由来の水素と二酸化炭素によるメタン発酵の活性化
【発明の詳細な説明】
【技術分野】
【０００１】  クリーンエネルギー
【技術背景】
【０００２】  近年の世界経済の成長に伴うエネルギー需要の増大は、石油価格の高騰や原産地の情勢不安は勿論のこと、地球温暖化や大気汚染といった環境問題にも多大な影響を与えている。世界各国では、こうした環境に対する影響に配慮する中で、エネルギー需要を充足させるため、環境に優しい新エネルギーの開発に取り組んでいる。なかでも、その二大生産国である米国及びブラジルにおいて、既に自動車燃料として利用されている「バイオエタノール」は、世界各国が注目しており、新たな成長産業として期待されている。
しかしながら、現在のバイオエタノールの主要原料はトウモロコシ・サトウキビ・小麦等であり、先物取引等、国際的な価格動向の影響を多大に受け、投資家による投資資産運用手段の餌食になりやすい状況にある。
また原材料費を安く抑えるためには、農家に負担を強いることになりかねない。そこで粗糖生産業界にも影響を及ぼさず、または従来廃棄物となるものを有効活用し、食品循環資源の再生利用等の促進に寄与したい。
加えて、バイオエタノールから水素を発生させ、同じく発生する二酸化炭素と共に、家畜や人間の排泄物の貯溜槽等下水処理過程で混入すれば、メタン発酵を促し、高効率でバイオガスを回収することが出来る。近頃、海の中の地中より、メタンハイドレードを掘削しエネルギー源とする試みが行われているが、そのような事は必要なく、人間が日常生活を送り食べ排泄する営みからガスを回収し、ガスタービン発電へとつなげ、その周囲には水をはり、熱で気化させ、その蒸気は汽力タービン発電へとつなげていく。それにより電力問題解決への糸口へも、つなげていける。またバイオエタノールから発生させた水素は次世代燃料電池型自動車の動力源ともなる。これらにより日本のものづくりが世界に先駆けて復活し、日本の農業という、根底からの復興を遂げ、エネルギー争奪戦などという争いのない平和な世の中をつくりだす礎としたい。
【発明の概要】
【発明が解決しようとする課題】
【０００３】  エネルギー問題
【課題を解決するための手段】  粗糖生産の副産物である物質と、発酵・醸造技術の活用。
食品循環資源の原料化によるバイオエタノール製造。
【発明の効果】  １９９７年採択  京都議定書  温室効果ガス削減目標達成化。
環境産業の拡大。省（化石）エネルギー製品・技術の開発普及。
実効性のある施策を通した先進の省（化石）エネルギー型都市の実現。
【図面の簡単な説明】
【０００４】
【図１】  インドの１次エネルギー供給は、バイオマス・廃棄物によるものが全体の２６．９％を占める。住宅用エネルギーを石油換算するとインドは１２６．４３５百万トンに対し、日本は０．０２６百万トンである。これは、「家庭用バイオガスプラント」の普及による。このプラントは、ただ地面に穴を掘っただけの発酵槽で、非常に単純だがコストもかからない。これらから発生するバイオガスは、特に農村部では重要なクリーンエネルギーとなっている。
【図２】  メタン発酵槽とバイオガスの電力化設備。
【図３】  ラム蒸留法の活用によるバイオエタノール製造。
【図４】  エタノールからの水素発生
【図１】
2013202044.tif 000003
【図２】
2013202044.tif 000004
【図３】
2013202044.tif 000005
【図４】
2013202044.tif 000006
(57)【要約】【課題】  従来のシーリングライトのカバーは年数を経ると光の透過率が下がり部屋の明るさがおちた。  本発明は年数がたっても部屋の明るさを保つカバーを提供する。【解決手段】  ライトのカバーを粗い網目状にし、模様を施す。【選択図】図１
2013008651.tif 000002
【特許請求の範囲】
【請求項１】
粗い網目に模様を施した下側から被せるライトカバー。
【発明の詳細な説明】
【技術分野】
【０００１】  本発明はライトの正面を覆うカバーに関するものである。
【背景技術】
【０００２】  従来、ライトにはすっぽりかぶせるカバーか又は、何もかぶせないものがあった。
【先行技術文献】
【０００３】
【発明の概要】
【発明が解決しようとする課題】
【０００４】  シーリングライトのカバーは新しいうちはよいが年数がたつと光の透過率が下がり部屋の明るさがおちた。又装飾性にも乏しかった。
本発明は、以上の問題点を解決するためになされたものである。
【課題を解決するための手段】
【０００５】  シーリングライトのカバーを粗い網目状にして、かざりを施す。
以上の構成よりなるライトカバー。
【発明の効果】
【０００６】  カバーの年数がたっても明るさが同じで、装飾が施されているため天井が明るく華やかで、疲れた心を癒すライトテラピーにもなる。
【図面の簡単な説明】
【０００７】
【図１】  本発明の正面図
【図２】  本発明の使用状態を示す側面図
【発明を実施するための形態】
【０００８】  以下、本発明の実施の形態を説明する。
（イ）網目状カバー（１）の各部に様々な模様（２）を施こし、天井（３）から吊り下げるひも又は鎖（４）を設置する。
本発明は以上のような構造である。
本発明を使用するときは、天井（３）より吊り下っているライト（５）の下にあてがって天井（３）にひも（４）をかけてライト（５）をおおうようにして用いる。
【符合の説明】
【０００９】  （１）網目状カバー、（２）模様、（３）天井、（４）ひも又は鎖、（５）ライト
【図１】
2013008651.tif 000003
【図２】
2013008651.tif 000004